(57)【要約】【課題】林道の側面などに擁壁を施工する際に、擁壁を一体化して安全性を高める。【解決手段】コンクリート製のブロック本体２の側面前方に部分円筒状の凹部５および凸部６を形成し、ブロック本体２の側面後方に一対の切欠部７、８を垂直に形成する。切欠部７、８を連通する形でブロック本体２の上面に鉄筋係合溝９を水平に形成して、擁壁用ブロック１とする。擁壁施工時には、擁壁用ブロック１を複数個その凹部５と凸部６とが互いに嵌合するように横方向に密着させて直線状に組積したブロック列を必要段数だけ構築する。擁壁用ブロック１の切欠部７、８に包囲されたコンクリート充填空間１２に鉄筋１４を縦に配筋し、擁壁用ブロック１の鉄筋係合溝９に鉄筋１３を横向きに配筋する。コンクリート充填空間１２に胴込めコンクリートを充填して硬化させる。すると、各擁壁用ブロック１が鉄筋コンクリート構造によって互いに強靱に結合される。【選択図】      図１
2004316326.tif 000002
【特許請求の範囲】
【請求項１】
コンクリートからなる六面体状のブロック本体（２）を有し、
このブロック本体の側面前方に一対の嵌合片（５、６）を形成し、
前記ブロック本体の側面後方に一対の切欠部（７、８）を垂直に形成し、
これらの切欠部を連通する形で前記ブロック本体の上面に鉄筋係合溝（９）を水平に形成したことを特徴とする擁壁用ブロック。
【請求項２】
一対の嵌合片（５、６）として、嵌合状態のまま水平回転しうるものを採用したことを特徴とする請求項１に記載の擁壁用ブロック。
【請求項３】
請求項１に記載の擁壁用ブロック（１）を用いて平面状の擁壁を施工する際に、
前記擁壁用ブロックを複数個その嵌合片（５、６）が互いに嵌合するように横方向に密着させて直線状に組積したブロック列（Ｒ１〜Ｒ５）を必要段数だけ構築し、
各ブロック列を構成する擁壁用ブロックの切欠部（７、８）に包囲されたコンクリート充填空間（１２）に鉄筋（１４）を縦に配筋し、
これら擁壁用ブロックの鉄筋係合溝（９）に鉄筋（１３）を横向きに配筋し、
前記コンクリート充填空間および前記鉄筋係合溝に胴込めコンクリート（１０）を充填して硬化させるようにしたことを特徴とする組積工法。
【請求項４】
請求項２に記載の擁壁用ブロック（１）を用いて曲面状の擁壁を施工する際に、
前記擁壁用ブロックを複数個その嵌合片（５、６）が互いに嵌合するように横方向に密着させて曲線状に組積したブロック列（Ｒ１、Ｒ２）を必要段数だけ構築し、
各ブロック列を構成する擁壁用ブロックの切欠部（７、８）に包囲されたコンクリート充填空間（１２）に鉄筋を縦に配筋し、
これら擁壁用ブロックの鉄筋係合溝（９）に鉄筋を横向きに配筋し、
前記コンクリート充填空間および前記鉄筋係合溝に胴込めコンクリートを充填して硬化させるようにしたことを特徴とする組積工法。
【請求項５】
幅の異なる複数種類の擁壁用ブロック（１Ａ、１Ｂ）を使い分けて、各ブロック列（Ｒ１、Ｒ２）のコンクリート充填空間（１２）が上下連続性を保持するようにしたことを特徴とする請求項４に記載の組積工法。
【発明の詳細な説明】
【０００１】
【発明の属する技術分野】
本発明は、林道の側面や河川の両岸、造成地の周囲などに擁壁を施工する際に用いるに好適なコンクリート製の擁壁用ブロックと、この擁壁用ブロックを用いた組積工法に関するものである。
【０００２】
【従来の技術】
従来この種の擁壁を施工する際には、一般にコンクリート製の擁壁用ブロックに胴込めコンクリートを充填しつつ多段に積み上げる練積が多方面で用いられているが、擁壁の重量を増す必要がある場合には、擁壁用ブロックの裏面に裏込めコンクリートを打設していた。
【０００３】
ところが、これだと、個々の擁壁用ブロックがその重量で互いに支え合っているだけに過ぎず、擁壁用ブロック全体からなる擁壁が一体性に欠けた状態となっている。そのため、不時の外力を受けて上段の擁壁用ブロックが脱落したり、中段の擁壁用ブロックがその裏面から土圧を受けて抜け落ちたり、軟弱地盤や水流による基礎部の部分的浸食または掘削によって最下段の擁壁用ブロックが脱落したりして、擁壁がその一部の破壊から全体の崩壊に至る危険がある。
【０００４】
そこで、擁壁を一体化して安全性を高めるべく、裏込めコンクリートに鉄筋を配筋して鉄筋コンクリート構造にする手法が採用されていた。
【０００５】
【発明が解決しようとする課題】
しかし、これでは、配筋工事の他に仮枠工事などが別途必要となり、この仮枠工事では裏込めコンクリートの打設後に仮枠を撤去する追加作業を強いられることから、工期の延伸や工費の高騰などの不都合を生じる欠点があった。
【０００６】
本発明は、このような事情に鑑み、工期の延伸や工費の高騰などの不都合を伴うことなく擁壁を一体化して安全性を高めることが可能な擁壁用ブロックおよび組積工法を提供することを目的とする。
【０００７】
【課題を解決するための手段】
すなわち、本発明のうち請求項１に係る発明は、コンクリートからなる六面体状のブロック本体（２）を有し、このブロック本体の側面前方に一対の嵌合片（５、６）を形成し、前記ブロック本体の側面後方に一対の切欠部（７、８）を垂直に形成し、これらの切欠部を連通する形で前記ブロック本体の上面に鉄筋係合溝（９）を水平に形成して構成される。ここで、一対の嵌合片の代表例としては凹部（５）および凸部（６）を挙げることができる。
【０００８】
こうした構成を採用することにより、複数個の擁壁用ブロックを組積すると、各擁壁用ブロックの切欠部に包囲される形でコンクリート充填空間が形成されるので、このコンクリート充填空間を利用して鉄筋コンクリート構造を実現し、これによって各擁壁用ブロックを互いに強靱に結合することが可能となる。
【０００９】
また、本発明のうち請求項２に係る発明は、前記一対の嵌合片（５、６）として、嵌合状態のまま水平回転しうるものを採用して構成される。かかる構成により、隣接する擁壁用ブロック同士を水平面内で適宜回転させてブロック列を所望の曲線状に形成することができるようになる。
【００１０】
また、本発明のうち請求項３に係る発明は、前記擁壁用ブロック（１）を用いて平面状の擁壁を施工する際に、前記擁壁用ブロックを複数個その嵌合片（５、６）が互いに嵌合するように横方向に密着させて直線状に組積したブロック列（Ｒ１〜Ｒ５）を必要段数だけ構築し、各ブロック列を構成する擁壁用ブロックの切欠部（７、８）に包囲されたコンクリート充填空間（１２）に鉄筋（１４）を縦に配筋し、これら擁壁用ブロックの鉄筋係合溝（９）に鉄筋（１３）を横向きに配筋し、前記コンクリート充填空間および前記鉄筋係合溝に胴込めコンクリート（１０）を充填して硬化させるようにして構成される。
【００１１】
また、本発明のうち請求項４に係る発明は、前記擁壁用ブロック（１）を用いて曲面状の擁壁を施工する際に、前記擁壁用ブロックを複数個その嵌合片（５、６）が互いに嵌合するように横方向に密着させて曲線状に組積したブロック列（Ｒ１、Ｒ２）を必要段数だけ構築し、各ブロック列を構成する擁壁用ブロックの切欠部（７、８）に包囲されたコンクリート充填空間（１２）に鉄筋を縦に配筋し、これら擁壁用ブロックの鉄筋係合溝（９）に鉄筋を横向きに配筋し、前記コンクリート充填空間および前記鉄筋係合溝に胴込めコンクリートを充填して硬化させるようにして構成される。
【００１２】
さらに、本発明のうち請求項５に係る発明は、幅の異なる複数種類の前記擁壁用ブロック（１Ａ、１Ｂ）を使い分けて、各ブロック列（Ｒ１、Ｒ２）のコンクリート充填空間（１２）が上下連続性を保持するようにして構成される。
【００１３】
これらの構成を採用することにより、鉄筋および胴込めコンクリートからなる鉄筋コンクリート構造によって各擁壁用ブロックが互いに強靱に結合され、擁壁が一体化されて安全性が向上するため、たとえ擁壁の一部が破壊しても、それが全体の崩壊に至る事態を阻止しうるように作用する。
【００１４】
なお、括弧内の符号は図面において対応する要素を表す便宜的なものであり、したがって、本発明は図面上の記載に限定拘束されるものではない。このことは「特許請求の範囲」の欄についても同様である。
【００１５】
【発明の実施の形態】
以下、本発明の実施形態を図面に基づいて説明する。
図１は本発明に係る擁壁用ブロックの一実施形態を示す図であり、（ａ）はその平面図、（ｂ）はその右側面図、（ｃ）は（ａ）のＣ−Ｃ線による断面図、（ｄ）はその正面図、（ｅ）はその斜視図、
図２は図１に示す擁壁用ブロックを組積して構築した平面状の擁壁を示す図であり、（ａ）はその正面図、（ｂ）は（ａ）のＢ−Ｂ線による断面図、（ｃ）は（ｂ）のＣ−Ｃ線による断面図、
図３は図１に示す擁壁用ブロックを組積して構築した曲面状の擁壁を示す図であり、（ａ）はその平面図、（ｂ）は（ａ）のＢ−Ｂ線による断面図である。
【００１６】
この擁壁用ブロック１は、図１に示すように、コンクリートからなる六面体状のブロック本体２を有しており、ブロック本体２には、前方空洞部３が上下方向に開口して形成されているとともに、後方空洞部４が上方にのみ開口して形成されている。また、ブロック本体２の左右両側面前方には一対の嵌合片として部分円筒状の凹部５および部分円筒状の凸部６が形成されている。さらに、ブロック本体２の左右両側面後方には一対の切欠部７、８が垂直に形成されており、これらの切欠部７、８を連通する形でブロック本体２の上面に鉄筋係合溝９が後方空洞部４を通過して水平に形成されている。なお、擁壁用ブロック１は、図１（ｄ）に示すように、所定の幅Ｗ（例えば、５００ｍｍ）および高さＨ（例えば、２５０ｍｍ）に形成されている。
【００１７】
擁壁用ブロック１は以上のような構成を有するので、直線状の林道の側面に平面状の擁壁を所望の法面勾配で施工する際には、必要個数の擁壁用ブロック１を施工現場（林道）に搬入した後、次の手順に従って擁壁を構築する。
【００１８】
まず、図２に示すように、林道の側面下部に基礎コンクリート１５を打設して養生する。このとき、この基礎コンクリート１５の打設前に、図２（ｂ）、（ｃ）に示すように、１本または数本からなる鉄筋１３を横向きに配筋し、この鉄筋１３に掛合する形で複数本の鉄筋１４を適当な設置間隔（擁壁用ブロック１の幅Ｗの２倍に相当する設置間隔）で法面勾配に沿って縦（斜め上方）に配筋しておく。
【００１９】
そして、基礎コンクリート１５が硬化したところで、この基礎コンクリート１５の上側に１段目（最下段）のブロック列Ｒ１を構築する。それには、多数個の擁壁用ブロック１をその凹部５と凸部６とが互いに嵌合するように横方向に密着させて直線状に組積した後、各擁壁用ブロック１の前方空洞部３に胴込め材（図示せず）を投入する。すると、互いに隣接する擁壁用ブロック１、１間には、図１（ａ）に示すように、各擁壁用ブロック１、１の切欠部７、８に包囲されたコンクリート充填空間１２が多数形成され、これらのコンクリート充填空間１２には、図２（ｃ）に示すように、１つ置きに鉄筋１４が配筋された状態となる。そこで、図２（ｂ）に示すように、この１段目のブロック列Ｒ１の背面に捨て仮枠１８を立設した後、この仮枠１８を固定するため、地山の法面１７との間に砂利や割栗石などの裏込め材１６を擁壁用ブロック１の上面の高さまで充填する。その後、すべてのコンクリート充填空間１２と各擁壁用ブロック１、１の後方空洞部４および鉄筋係合溝９とに胴込めコンクリート１０を充填して硬化させる。ここで、１段目のブロック列Ｒ１が完成する。
【００２０】
こうして１段目のブロック列Ｒ１が完成したところで、このブロック列Ｒ１の上側に、図２（ｂ）に示すように、２段目のブロック列Ｒ２を一定の寸法だけ後退させて構築する。それには、多数個の擁壁用ブロック１をその凹部５と凸部６とが互いに嵌合するように横方向に密着させて直線状に組積した後、各擁壁用ブロック１の前方空洞部３に胴込め材（図示せず）を投入する。すると、互いに隣接する擁壁用ブロック１、１間には、各擁壁用ブロック１、１の切欠部７、８に包囲されたコンクリート充填空間１２が多数形成されて、１段目のブロック列Ｒ１のコンクリート充填空間１２の斜め上方に連通し、これらのコンクリート充填空間１２には１つ置きに鉄筋１４が配筋された状態となる。そこで、図１（ａ）、（ｂ）に示すように、この２段目のブロック列Ｒ２を構成する擁壁用ブロック１すべての鉄筋係合溝９を貫通するように１本の鉄筋１３を横向きに配筋し、２段目のブロック列Ｒ２の背面に捨て仮枠１８を立設した後、この仮枠１８を固定するため、地山の法面１７との間に砂利や割栗石などの裏込め材１６を擁壁用ブロック１の上面の高さまで充填する。その後、すべてのコンクリート充填空間１２と各擁壁用ブロック１、１の後方空洞部４および鉄筋係合溝９とに胴込めコンクリート１０を充填して硬化させる。ここで、２段目のブロック列Ｒ２が完成する。
【００２１】
こうして２段目のブロック列Ｒ２が完成したところで、このブロック列Ｒ２の上側に、図２（ｂ）に示すように、１段目のブロック列Ｒ１と同様な手順で３段目のブロック列Ｒ３を一定の寸法だけ後退させて構築する。すなわち、多数個の擁壁用ブロック１をその凹部５と凸部６とが互いに嵌合するように横方向に密着させて直線状に組積した後、各擁壁用ブロック１の前方空洞部３に胴込め材（図示せず）を投入する。すると、互いに隣接する擁壁用ブロック１、１間には、各擁壁用ブロック１、１の切欠部７、８に包囲されたコンクリート充填空間１２が多数形成されて、２段目のブロック列Ｒ２のコンクリート充填空間１２の斜め上方に連通し、これらのコンクリート充填空間１２には１つ置きに鉄筋１４が配筋された状態となる。そこで、この３段目のブロック列Ｒ３の背面に捨て仮枠１８を立設した後、この仮枠１８を固定するため、地山の法面１７との間に砂利や割栗石などの裏込め材１６を擁壁用ブロック１の上面の高さまで充填する。その後、すべてのコンクリート充填空間１２と各擁壁用ブロック１の後方空洞部４および鉄筋係合溝９とに胴込めコンクリート１０を充填して硬化させる。ここで、３段目のブロック列Ｒ３が完成する。
【００２２】
こうして３段目のブロック列Ｒ３が完成したところで、このブロック列Ｒ３の上側に、図２（ｂ）に示すように、２段目のブロック列Ｒ２と同様な手順で４段目のブロック列Ｒ４を一定の寸法だけ後退させて構築する。すなわち、多数個の擁壁用ブロック１をその凹部５と凸部６とが互いに嵌合するように横方向に密着させて直線状に組積した後、各擁壁用ブロック１の前方空洞部３に胴込め材（図示せず）を投入する。すると、互いに隣接する擁壁用ブロック１、１間には、各擁壁用ブロック１、１の切欠部７、８に包囲されたコンクリート充填空間１２が多数形成されて、３段目のブロック列Ｒ３のコンクリート充填空間１２の斜め上方に連通し、これらのコンクリート充填空間１２には１つ置きに鉄筋１４が配筋された状態となる。そこで、この４段目のブロック列Ｒ４を構成する擁壁用ブロック１すべての鉄筋係合溝９を貫通するように１本の鉄筋１３を横向きに配筋し、４段目のブロック列Ｒ４の背面に捨て仮枠１８を立設した後、この仮枠１８を固定するため、地山の法面１７との間に砂利や割栗石などの裏込め材１６を擁壁用ブロック１の上面の高さまで充填する。その後、すべてのコンクリート充填空間１２と各擁壁用ブロック１、１の後方空洞部４および鉄筋係合溝９とに胴込めコンクリート１０を充填して硬化させる。ここで、４段目のブロック列Ｒ４が完成する。
【００２３】
こうして４段目のブロック列Ｒ４が完成したところで、このブロック列Ｒ４の上側に、図２（ｂ）に示すように、１段目のブロック列Ｒ１と同様な手順で５段目（最上段）のブロック列Ｒ５を一定の寸法だけ後退させて構築する。すなわち、多数個の擁壁用ブロック１をその凹部５と凸部６とが互いに嵌合するように横方向に密着させて直線状に組積した後、各擁壁用ブロック１の前方空洞部３に胴込め材（図示せず）を投入する。すると、互いに隣接する擁壁用ブロック１、１間には、各擁壁用ブロック１、１の切欠部７、８に包囲されたコンクリート充填空間１２が多数形成されて、４段目のブロック列Ｒ４のコンクリート充填空間１２の斜め上方に連通し、これらのコンクリート充填空間１２には１つ置きに鉄筋１４が配筋された状態となる。そこで、この５段目のブロック列Ｒ５の背面に捨て仮枠１８を立設した後、この仮枠１８を固定するため、地山の法面１７との間に砂利や割栗石などの裏込め材１６を擁壁用ブロック１の上面の高さまで充填する。その後、すべてのコンクリート充填空間１２と各擁壁用ブロック１、１の後方空洞部４および鉄筋係合溝９とに胴込めコンクリート１０を充填して硬化させる。ここで、５段目のブロック列Ｒ５が完成する。
【００２４】
このようにして、最下段から最上段までのブロック列Ｒ１〜Ｒ５が組積され、所望の法面勾配をもった平面状の擁壁が完成するが、この擁壁を構成する各擁壁用ブロック１は、鉄筋１３、１４および胴込めコンクリート１０からなる鉄筋コンクリート構造によって互いに強靱に結合されているので、擁壁は一体化されて安全性が高いものとなっている。そのため、たとえ擁壁の一部が破壊したとしても、それが擁壁全体の崩壊に至る事態が発生する恐れはない。しかも、擁壁の完成後に捨て仮枠１８を撤去する工事が不要なので、工期の延伸や工費の高騰などの不都合が発生することもない。
【００２５】
なお、ここでは、図２（ｃ）に示すように、鉄筋１３を２段のブロック列Ｒごとに配筋するとともに、鉄筋１４を２つのコンクリート充填空間１２ごとに配筋する場合について説明したが、これら鉄筋１３、１４の配筋割合はこれに限るわけではなく、例えば、鉄筋１３を各ブロック列Ｒに配筋するとともに、鉄筋１４を各コンクリート充填空間１２に配筋することもできる。
【００２６】
また、曲線状の林道の側面に曲面状の擁壁を所望の法面勾配で施工する際には、図３に示すように、幅Ｗの異なる２種類の擁壁用ブロック１、すなわち標準幅（例えば、幅Ｗが５００ｍｍ）の擁壁用ブロック１Ａおよび小幅（例えば、幅Ｗが４００ｍｍ）の擁壁用ブロック１Ｂを必要個数ずつ施工現場（林道）に搬入する。そして、上述した平面状の擁壁と同様な構築手順に従い、基礎コンクリート１５の上側に１段目（最下段）のブロック列Ｒ１を所望の曲線状に構築し、その上側に２段目のブロック列Ｒ２を一定の寸法だけ後退させて所望の曲線状に構築した後、これら２段のブロック列Ｒ１、Ｒ２の後方に裏込め材１６を充填すれば、所望の法面勾配をもった曲面状の擁壁が出来上がる。なお、擁壁用ブロック１Ａ、１Ｂの切欠部７、８に包囲されたコンクリート充填空間１２に鉄筋（図示せず）を縦に配筋し、擁壁用ブロック１Ａ、１Ｂの鉄筋係合溝９に鉄筋（図示せず）を横向きに配筋し、さらに、コンクリート充填空間１２と各擁壁用ブロック１Ａ、１Ｂの後方空洞部４および鉄筋係合溝９とに胴込めコンクリート（図示せず）を充填して硬化させることは、上述した平面状の擁壁と同様である。
【００２７】
このとき、図３（ａ）に示すように、擁壁の法面勾配やブロック列Ｒ１、Ｒ２の曲率に応じて２種類の擁壁用ブロック１Ａ、１Ｂを使い分けることにより、各ブロック列Ｒ１、Ｒ２のコンクリート充填空間１２が上下連続性を保持するようにする。そうすれば、上述した平面状の擁壁と同様、各擁壁用ブロック１Ａ、１Ｂが鉄筋コンクリート構造によって互いに強靱に結合され、曲面状の擁壁が一体化されて安全性が向上する。
【００２８】
また、ブロック列Ｒ１、Ｒ２を曲線状に構築するときには、多数個の擁壁用ブロック１Ａ、１Ｂをその凹部５と凸部６とが互いに嵌合するように横方向に密着させて曲線状に組積するが、各擁壁用ブロック１Ａ、１Ｂの凹部５および凸部６はいずれも部分円筒状に形成されており、嵌合状態のままでも水平回転しうるので、隣接する擁壁用ブロック１Ａ、１Ｂ同士を水平面内で適宜回転させてブロック列Ｒ１、Ｒ２を所望の曲線状に形成することができる。
【００２９】
なお、ここでは、幅Ｗの異なる２種類の擁壁用ブロック１（標準幅の擁壁用ブロック１Ａおよび小幅の擁壁用ブロック１Ｂ）を用いて曲面状の擁壁を施工する場合について説明したが、擁壁の法面勾配その他の状況に応じて擁壁用ブロック１の種類を３種類以上に増やしても構わない。
【００３０】
また、ここでは、林道の側面に擁壁を施工する場合について説明したが、河川の両岸や造成地の周囲に擁壁を施工する場合に本発明を同様に適用することも可能である。
【００３１】
【発明の効果】
以上説明したように、請求項１に係る発明によれば、複数個の擁壁用ブロックを組積すると、各擁壁用ブロックの切欠部に包囲される形でコンクリート充填空間が形成されるので、このコンクリート充填空間を利用して鉄筋コンクリート構造を実現し、これによって各擁壁用ブロックを互いに強靱に結合しうることから、工期の延伸や工費の高騰などの不都合を伴うことなく平面状の擁壁を一体化して安全性を高めることが可能な擁壁用ブロックを提供することができる。
【００３２】
また、請求項２に係る発明によれば、複数個の擁壁用ブロックを組積すると、各擁壁用ブロックの切欠部に包囲される形でコンクリート充填空間が形成されるので、このコンクリート充填空間を利用して鉄筋コンクリート構造を実現し、これによって各擁壁用ブロックを互いに強靱に結合しうることに加えて、隣接する擁壁用ブロック同士を水平面内で適宜回転させてブロック列を所望の曲線状に形成することができることから、工期の延伸や工費の高騰などの不都合を伴うことなく曲面状の擁壁を一体化して安全性を高めることが可能な擁壁用ブロックを提供することができる。
【００３３】
また、請求項３〜５に係る発明によれば、鉄筋および胴込めコンクリートからなる鉄筋コンクリート構造によって各擁壁用ブロックが互いに強靱に結合され、擁壁が一体化されて安全性が向上するため、たとえ擁壁の一部が破壊しても、それが全体の崩壊に至る事態を阻止しうることから、工期の延伸や工費の高騰などの不都合を伴うことなく擁壁を一体化して安全性を高めることが可能な組積工法を提供することができる。
【図面の簡単な説明】
【図１】本発明に係る擁壁用ブロックの一実施形態を示す図であり、（ａ）はその平面図、（ｂ）はその右側面図、（ｃ）は（ａ）のＣ−Ｃ線による断面図、（ｄ）はその正面図、（ｅ）はその斜視図である。
【図２】図１に示す擁壁用ブロックを組積して構築した平面状の擁壁を示す図であり、（ａ）はその正面図、（ｂ）は（ａ）のＢ−Ｂ線による断面図、（ｃ）は（ｂ）のＣ−Ｃ線による断面図である。
【図３】図１に示す擁壁用ブロックを組積して構築した曲面状の擁壁を示す図であり、（ａ）はその平面図、（ｂ）は（ａ）のＢ−Ｂ線による断面図である。
【符号の説明】
１、１Ａ、１Ｂ……擁壁用ブロック
２……ブロック本体
５……凹部（嵌合片）
６……凸部（嵌合片）
７、８……切欠部
９……鉄筋係合溝
１０……胴込めコンクリート
１２……コンクリート充填空間
１３……鉄筋
１４……鉄筋
Ｒ１〜Ｒ５……ブロック列
【図１】
2004316326.tif 000003
【図２】
2004316326.tif 000004
【図３】
2004316326.tif 000005